(57)【要約】【課題】配線挿通空間を大きくしながら、ポストの側面に配線カバーや配線ダクトを突設する必要がない、ポストと横架部材の連結部の配線構造を提供する。【解決手段】床面に立設する複数のポスト１と、隣り合うポスト１，１同士の上端部間を繋ぐ横架部材２との連結部の配線構造であって、横架部材２の端部に、上下方向の通線孔Ａを有するとともに、ポスト１に向かって突出する突出部４を有する連結部材３を取り付けた。突出部４をポスト１内に挿入して、突出部４をポスト１に固定した状態で、連結部材３の通線孔Ａは、横架部材２内からポスト１内にわたる大きさを有する。【選択図】図３
2018078662.tif 000002
【特許請求の範囲】
【請求項１】
床面に立設する複数のポストと、隣り合う前記ポスト同士の上端部間を繋ぐ横架部材との連結部の配線構造であって、
前記横架部材の端部に、上下方向の通線孔を有するとともに、前記ポストに向かって突出する突出部を有する連結部材を取り付け、
前記突出部を前ポスト内に挿入して、前記突出部を前記ポストに固定した状態で、前記連結部材の通線孔は、前記横架部材内から前記ポスト内にわたる大きさを有することを特徴とする、
ポストと横架部材との連結部の配線構造。
【請求項２】
前記ポストは、
ポスト中央の中央構造体と、
前記中央構造体の外面から前記横架部材に向かう方向に行くにしたがって幅方向外方に傾斜するように延びる傾斜壁部、及び、前記傾斜壁部の先端を幅方向内方へ折り曲げた、ポストカバーを取り付ける側壁部を有する外壁形成体と、
を備え、
隣り合う前記傾斜壁部間に形成された、前記ポスト内の空間内に前記突出部を収容してなる、
請求項１記載のポストと横架部材との連結部の配線構造。
【請求項３】
前記横架部材は、その上部及び下部に、長手方向の上部凹溝及び下部凹溝を備え、
前記上部凹溝及び前記下部凹溝の間を、前記通線孔を通して配線可能としてなる、
請求項１又は２記載のポストと横架部材との連結部の配線構造。
【発明の詳細な説明】
【技術分野】
【０００１】
本発明は、ゾーニング什器等におけるポストと横架部材との連結部の配線構造に関する。
【背景技術】
【０００２】
ポストと横架部材を組み合わせて空間を演出するゾーニング什器等において、所要の配線スペースを確保するために、配線カバーや配線ダクトをポストの側面に取付けるものがある（例えば、特許文献１及び２参照）。
特許文献１及び２のような配線構造は、ポストの側面の上下方向に設けた断面略コ字形の係合溝を利用して、配線挿通空間を形成する配線カバーや配線ダクトを、配線挿通空間がポストの外方に位置するように取り付けている。そして、横架部材内から配線カバー等へわたるように配線を通している。
【先行技術文献】
【特許文献】
【０００３】
【特許文献１】特開２０１１−１５１９０７号公報
【特許文献２】特開２０１３−１２１２７０号公報
【発明の概要】
【発明が解決しようとする課題】
【０００４】
特許文献１及び２のような配線構造では、配線カバーや配線ダクトの内部に形成される配線挿通空間を大きくすることにより、コネクタやプラグ等を挿通できる大きさを確保できるとともに配線の作業性を向上できる。
しかしながら、配線を行う箇所のポストの側面に取り付ける専用部品が必要になる。例えば、特許文献１では、下部受け部材１７、配線カバー４、上部カバー連結具１４、及び固定ねじ１３が必要になり、特許文献２では、嵌合突部２３を備えたダクト本体５、ナット板２４及び締付ネジ２３、係止部材２７を備えたダクトカバー６が必要になる。
よって、前記専用部品の部品点数が増加するので、製造コストが増大する。
その上、配線を行う箇所のポストの側面に配線カバーや配線ダクトが突設されるので、デザイン性が低下する。
【０００５】
そこで、本発明が前述の状況に鑑み、解決しようとするところは、配線挿通空間を大きくしながら、ポストの側面に配線カバーや配線ダクトを突設する必要がない、ポストと横架部材の連結部の配線構造を提供する点にある。
【課題を解決するための手段】
【０００６】
本発明は、前述の課題解決のために、床面に立設する複数のポストと、隣り合う前記ポスト同士の上端部間を繋ぐ横架部材との連結部の配線構造であって、
前記横架部材の端部に、上下方向の通線孔を有するとともに、前記ポストに向かって突出する突出部を有する連結部材を取り付け、
前記突出部を前ポスト内に挿入して、前記突出部を前記ポストに固定した状態で、前記連結部材の通線孔は、前記横架部材内から前記ポスト内にわたる大きさを有することを特徴とする（請求項１）。
【０００７】
このような構成によれば、横架部材に取り付けた連結部材が上下方向の通線孔を有し、連結部材の突出部をポストに固定した状態で、前記通線孔は横架部材内からポスト内にわたる大きさを有するので、横架部材からポストへ及び／又はポストから横架部材へ、配線コード等を前記通線孔に通して受け渡すことができる。
よって、大きな配線挿通空間を確保しながら、ポストの側面に配線カバーや配線ダクトを突設する必要がないので、配線カバー等の配線専用部品を備える構成と比較して、製造コストを低減できるとともに、デザイン性を向上できる。
【０００８】
ここで、前記ポストは、
ポスト中央の中央構造体と、
前記中央構造体の外面から前記横架部材に向かう方向に行くにしたがって幅方向外方に傾斜するように延びる傾斜壁部、及び、前記傾斜壁部の先端を幅方向内方へ折り曲げた、ポストカバーを取り付ける側壁部を有する外壁形成体と、
を備え、
隣り合う前記傾斜壁部間に形成された、前記ポスト内の空間内に前記突出部を収容してなるのが好ましい実施態様である（請求項２）。
【０００９】
このような構成によれば、前記形態のポストにより、ポスト内の空間内に連結部材の突出部を収容でき、その状態で前記突出部を前記中央構造体に固定して横架部材をポストに連結固定できる。
よって、連結部材に設ける上下方向の通線孔を平面方向に大きくすることが容易になるので、配線作業性が高くなる。
【００１０】
また、前記横架部材は、その上部及び下部に、長手方向の上部凹溝及び下部凹溝を備え、
前記上部凹溝及び前記下部凹溝の間を、前記通線孔を通して配線可能としてなるのも好ましい実施態様である（請求項３）。
【００１１】
このような構成によれば、横架部材に取り付けられている連結部材の、配線挿通空間が大きい上下方向の通線孔を通して、横架部材の長手方向の上部凹溝及び下部凹溝の間の配線を容易に行うことができるので、配線の自由度が向上する。
【発明の効果】
【００１２】
以上のとおり、本発明に係るポストと横架部材との連結部の配線構造によれば、配線挿通空間を大きくしながら、ポストの側面に配線カバーや配線ダクトが突設する必要がない。
【図面の簡単な説明】
【００１３】
【図１】本発明の実施の形態に係るポストと横架部材との連結部の配線構造を適用したゾーニング什器を示す斜視図である。
【図２】本発明の実施の形態に係るポストと横架部材との連結部の配線構造を示す要部拡大横断平面図である。
【図３】同じく要部拡大縦断側面図である。
【図４】本発明の実施の形態に係るポストの平面図である。
【図５】ポストと横架部材との連結部まわりの構成部品を示す部分分解斜視図である。
【図６】横架部材の要部拡大分解斜視図である。
【図７】横架部材の端部の斜視図である。
【図８】横架部材への連結部材の取付方法を示す部分分解斜視図である。
【図９】横架部材に連結部材を取り付けた状態を示す要部拡大斜視図である。
【図１０】ポストへの横架部材の取付方法を示す部分分解斜視図である。
【図１１】ポストに横架部材を取り付けた状態を示す要部拡大斜視図である。
【図１２】図１１において、さらにポストカバーを取り付けた状態を示す要部拡大斜視図である。
【発明を実施するための形態】
【００１４】
次に、添付図面に示した実施形態に基づき、本発明を更に詳細に説明する。
本発明は、床面に立設する複数のポストと、隣り合う前記ポスト同士の上端部間を繋ぐ横架部材との連結部の配線構造に関するものであり、前記配線構造が適用されるポストは、ポストと横架部材を組み合わせて空間を演出するゾーニング什器用の他、間仕切パネルの連結に用いるコーナーポストや他の什器の一部であっても構わない。
すなわち、本発明のポストと横架部材との連結部の配線構造は、ポストと横架部材を連結してなる様々なフレーム構造体に対して適用できる。
以下において、横架部材の長手方向に直交する水平方向を、「幅方向」という。
【００１５】
図１に示すように、本発明の実施の形態に係るポスト１と横架部材である横ビーム２との連結部の配線構造を適用したゾーニング什器Ｆは、床面に立設する４本のポスト１，１，…の上端間を横ビーム２で連結して空間を演出するものである。
【００１６】
図２及び図３に示すように、ポスト１に取り付ける横ビーム２の端部には、上下方向の通線孔Ａを有するとともに、ポスト１に向かって突出する突出部４を有する連結部材３を取り付ける。
そして、横ビーム２は、突出部４をポスト１内に挿入した状態で、突出部４がポスト１に固定され、通線孔Ａは横ビーム２内からポスト１内にわたる大きさを有する。
よって、図３のように、横ビーム２からポスト１へ及び／又はポスト１から横ビーム２へ、配線コードＣ等を通線孔Ａに通して受け渡すことができる。
【００１７】
ポスト１は、例えばアルミニウム合金製であり、図４に示すように、ポスト中央の中央構造体である、横断面が正方形状の角筒部１１を有する。
また、ポスト１は、外壁形成体である、角筒部１１の角部から、前記正方形状の対角線を外方へ延ばす方向（Ｘ１，Ｘ２，Ｙ１，Ｙ２）へ延びる４つの傾斜壁部１２，１２，…、及び、傾斜壁部１２の先端を幅方向内方へ折り曲げてなる側壁部１３，１３を有する。
そして、隣り合う傾斜壁部１２，１２間には、周方向に分離した４つの平面視略台形状の空間Ｂ，Ｂ，…が形成される。
側壁部１３，１３の先端は、角筒部１１側へ折り曲げられており、この折曲部１４，１４によりポストカバー１９を保持できる。
さらに、ポスト１の外壁形成体を構成する側壁部１３，１３は、図２のように横ビーム２に対向する端部側面１３Ａ，１３Ａを有する。
【００１８】
ポスト１の前記中央構造体は、主に強度を担う部材であり、ポスト１の前記外壁形成体は、前記中央構造体を補強するとともにポストカバー１９を取り付ける部材となる。
なお、前記中央構造体は、角筒部１１に限定されるものではなく、円筒状等の他の形状であってもよい。
また、前記傾斜壁部は、前記中央構造体の外面から横架部材２に向かう方向に行くにしたがって幅方向外方に傾斜するように延びるものであればよい。
【００１９】
図２及び図３、並びに図５に示すように、ポスト１の横ビーム２が連結されない側面には、ポストカバー１９，１９，…を装着する。
ポストカバー１９の係合溝部１９Ａ，１９Ａに、ポストカバー取付具２０の基部２０Ａの側部を係合させ、図２のようにポストカバー１９にポストカバー取付具２０を取り付ける。
ポストカバー取付具２０の係止爪２０Ｂ，２０Ｂを、ポスト１の側壁部１３，１３先端の折曲部１４，１４に係止することにとり、ポスト１の側面にポストカバー１９をワンタッチで装着できる。
【００２０】
横ビーム２は、例えばアルミニウム合金製であり、図６及び図７に示すように、幅方向両端部に、緩衝体６，６、及び掛止片７，７を取り付ける。ここで、緩衝体６は、例えば、ポリアセタール、ポリプロピレン、ポリエチレンテレフタレート、ナイロン又はＡＢＳ等の合成樹脂製であり、掛止片７は、例えば鋼等の金属製である。
図６に示すように、緩衝体６の通孔（皿穴）６Ａに皿頭タッピングねじ８Ａを挿入して、横ビーム２のねじ込み穴部２Ｃに螺着することにより、横ビーム２に緩衝体６を取り付ける。また、掛止片７の通孔（皿穴）７Ａ，７Ａ、及び緩衝体６の通孔６Ｂ，６Ｂに皿頭タッピングねじ８Ｂ，８Ｂを挿入して、横ビーム２のねじ込み穴部２Ｄ，２Ｄに螺着することにより、横ビーム２に掛止片７を取り付ける。
【００２１】
連結部材３は、例えばアルミニウム合金製であり、図８及び図９に示すように、横ビーム２の開口部Ｄに、連結部材３の基端部Ｅを嵌合し、横ビーム２の通孔（皿穴）２Ａ，２Ａに皿頭締付ねじ９，９を通して、連結部材３の螺孔３Ａ，３Ａに螺合することにより、連結部材３は横ビーム２に強固に取り付けられる（図３も参照）。
横ビーム２は、その上部及び下部に、長手方向の上部凹溝１７及び下部凹溝１８を備える。ここで、横ビーム２に連結部材３を取り付けた状態で連結部材３の通線孔Ａを塞がないように、上部凹溝１７及び下部凹溝１８の長手方向の端部には切欠部２Ｂ，２Ｂを形成している。
【００２２】
図２及び図１０に示すように、横ビーム２に取り付けた連結部材３の突出部４は、ポスト１内の平面視略台形状の空間Ｂ内に収容されるとともに、空間Ｂ，Ｂ，…を仕切る傾斜壁部１２，１２の壁面１２Ａ，１２Ａに当接する傾斜面４Ａ，４Ａを有する。
また、連結部材３の突出部４の上下に通孔３Ｂ，３Ｂを形成し、通孔３Ｂ，３Ｂの間には、ポスト１の角筒部１１の側面１１Ａに向かって突出する嵌合凸部５を設ける。
角筒部１１の側面１１Ａには、突出部４の上下の通孔３Ｂ，３Ｂに対向する上下の螺孔１５，１５を形成するとともに、螺孔１５，１５の間に、嵌合凸部５が嵌合する上下方向の長孔１６を設ける。
【００２３】
次に、ポスト１への横ビーム２の取付けについて説明する。
先ず、図１０に示す状態から、横ビーム２に取り付けた連結部材３の突出部４に設けた嵌合凸部５を、ポスト１の角筒部１１の側面１１Ａの長孔１６の上部に嵌合させる。
この状態から嵌合凸部５を長孔１６によりガイドしながら、重力で横ビーム２を下降させる。
それにより、図７〜図９に示す横ビーム２の幅方向両端部の掛止片７，７の掛止部７Ｂが、図２及び図３に示すように側壁部１３よりもポスト１の内方で側壁部１３に掛止し、当止部７Ｃが側壁部１３の上面に当接して当て止めされる。
【００２４】
この状態では、図１０に示す突出部４の上下の通孔３Ｂ，３Ｂと角筒部１１の側面１１Ａの上下の螺孔１５，１５との位置合わせがされている。
よって、横ビーム２側から、なべ頭締付ねじ１０，１０を通孔３Ｂ，３Ｂに通して螺孔１５，１５に螺合する作業が容易であるので、ポスト１に横ビーム２を連結する作業の作業性を向上できる。
【００２５】
そして、図２のようにポスト１への横ビーム２の取付けが完了した状態では、ポスト１の傾斜壁部１２，１２の壁面１２Ａ，１２Ａに、横ビーム２に取り付けた連結部材３の突出部４の傾斜面４Ａ，４Ａが当接し、その当接状態が維持されるので、ポスト１に対して横ビーム２を強固に連結できる。
【００２６】
また、突出部４を角筒部１１にねじ締結する途中で、横ビーム２の幅方向両端部の緩衝体６，６がポスト１の端部側面１３Ａ，１３Ａに当接し、端部側面１３Ａ，１３Ａに緩衝体６，６が当接した際に、傾斜壁部１２，１２の壁面１２Ａ，１２Ａから突出部４の傾斜面４Ａ，４Ａが離間している。
よって、端部側面１３Ａ，１３Ａに緩衝体６，６が当接した状態から、さらに前記ねじ締結が進行し、前記ねじ締結が完了した図２に示す状態では、幅方向両端部の緩衝体６，６を圧縮変形させる力が作用しており、緩衝体６，６を圧縮するように、ポスト１に対して横ビーム２が引き付けられた状態で、傾斜壁部１２，１２の壁面１２Ａ，１２Ａに突出部４の傾斜面４Ａ，４Ａが当接する。
すなわち、横ビーム２の幅方向両端部の緩衝体６，６がポスト１の端部側面１３Ａ，１３Ａに圧接するとともに、横ビーム２に取り付けられた連結部材３の突出部４の傾斜面４Ａ，４Ａがポスト１の傾斜壁部１２，１２の壁面１２Ａ，１２Ａに当接した状態となるので、ポスト１に対して横ビーム２をさらに強固に連結できる。
【００２７】
図２及び図４に示すように、周方向９０°等分の４方向から横架部材２が取り付けられるポスト１内に、中央構造体である角筒部１１の径方向外方に、周方向に分離した４つの平面視略台形状の空間Ｂ，Ｂ，…が形成されている。
そして、角筒部１１の側面１１Ａは平面であり、傾斜壁部１２，１２の壁面１２Ａ，１２Ａも平面に形成できる。
それにより、前記４方向から横架部材２をポスト１に取り付ける際に、横架部材２に取り付けた連結部材３の突出部４をポスト１の角筒部１１に締結すると、締結面の接触、並びに突出部４の傾斜面４Ａ，４Ａ及び傾斜壁部１２，１２の壁面１２Ａ，１２Ａの接触が、平面同士の接触になる。
よって、ポスト１に対して横架部材２を、より安定した状態で精度良く連結できる。
その上、角筒部１１への螺孔等の加工を含め、中央構造体である角筒部１１を含むポスト１と連結部材３の製造が容易になるので、製造コストを低減できる。
【００２８】
ポスト１に横ビーム２，２を連結固定した、例えば図１１の状態において、図２及び図３のように横ビーム２内からポスト１内にわたる大きさを有する通線孔Ａがある。このような通線孔Ａにより大きな配線挿通空間を確保できるので、ポスト１の側面に配線カバーや配線ダクトを突設する必要がない。
よって、配線カバー等の配線専用部品を備える構成と比較して、製造コストを低減できるとともに、デザイン性を向上できる。
【００２９】
その上、図４の平面形状のポスト１により、ポスト１内の平面視略台形状の空間Ｂ，Ｂ，…内に連結部材３の突出部４を収容でき、その状態で突出部４を角筒部１１に固定して横ビーム２をポスト１に連結固定できる。
よって、連結部材３に設ける上下方向の通線孔Ａを平面方向に大きくすることが容易になるので、配線作業性が高くなる。
その上さらに、図３及び図５のように、横ビーム２は、その上部及び下部に、長手方向の上部凹溝１７及び下部凹溝１８を備える。
よって、横ビーム２に取り付けられている連結部材３の、配線挿通空間が大きい上下方向の通線孔Ａを通して、横ビーム２の長手方向の上部凹溝１７及び下部凹溝１８の間の配線を容易に行うことができるので、配線の自由度が向上する。
その上、例えば図１１の状態において、横ビーム２，２の一方から他方への配線も、ポスト１の上方を通して容易に行うことができる。
【００３０】
配線作業を行った後、例えば図１１の状態から、前記したとおり、ポスト１の横ビーム２が連結されない側面には、図１２のようにポストカバー１９，１９，…を装着する。
【符号の説明】
【００３１】
Ａ  通線孔
Ｂ  空間
Ｃ  配線コード
Ｄ  開口部
Ｅ  基端部
Ｆ  ゾーニング什器
１  ポスト
２  横ビーム（横架部材）
２Ａ  通孔
２Ｂ  切欠部
２Ｃ，２Ｄ  ねじ込み穴部
３  連結部材
３Ａ  螺孔
３Ｂ  通孔
４  突出部
４Ａ  傾斜面
５  嵌合凸部
６  緩衝体
６Ａ，６Ｂ  通孔
７  掛止片
７Ａ  通孔
７Ｂ  掛止部
７Ｃ  当止部
８Ａ，８Ｂ  皿頭タッピングねじ
９  皿頭締付ねじ
１０  なべ頭締付ねじ
１１  角筒部（中央構造体）
１１Ａ  側面
１２  傾斜壁部（外壁形成体）
１２Ａ  壁面
１３  側壁部（外壁形成体）
１３Ａ  端部側面
１４  折曲部
１５  螺孔
１６  長孔
１７  上部凹溝
１８  下部凹溝
１９  ポストカバー
１９Ａ  係合溝部
２０  ポストカバー取付具
２０Ａ  基部
２０Ｂ  係止爪
【図１】
2018078662.tif 000003
【図２】
2018078662.tif 000004
【図３】
2018078662.tif 000005
【図４】
2018078662.tif 000006
【図５】
2018078662.tif 000007
【図６】
2018078662.tif 000008
【図７】
2018078662.tif 000009
【図８】
2018078662.tif 000010
【図９】
2018078662.tif 000011
【図１０】
2018078662.tif 000012
【図１１】
2018078662.tif 000013
【図１２】
2018078662.tif 000014